(57)【要約】【課題】主に各種電子機器に使用される開閉装置、及びこれを用いた電子機器に関し、多様な操作が可能なものを提供することを目的とする。【解決手段】可動カム１６が弾接する略Ｖ字状の固定カム１２の中間に、可動カム１６を係止する窪部１２Ａを設けて開閉装置３０を形成すると共に、この開閉装置３０と略アーム状の連結部材３３を介して、可動筐体３２を固定筐体３１に装着することによって、可動筐体３２が閉じた状態でも、この上面に表示部３２Ａが設けられているため、表示されたメニューの選択等が行えると共に、入力操作等の行い易い中間角度と、画面が大きく見易い最大の操作角度まで開いた状態の、二つの操作角度に可動筐体３２を保持できるため、多様な操作が可能な開閉装置及びこれを用いた電子機器を得ることができる。【選択図】図１
2012251604.tif 000002
【特許請求の範囲】
【請求項１】
固定カムが形成された固定体と、この固定体を収納する略円筒状の固定ケースと、上記固定カムに対向する可動カムが形成された可動体と、この可動体を軸線方向へ移動可能に収納する可動ケースと、上記可動カムを上記固定カムの方向へ付勢するばねからなり、上記固定カムを略Ｖ字状に形成すると共に、中間に上記可動カムを係止する窪部を設けた開閉装置。
【請求項２】
請求項１記載の開閉装置と、上面に表示部が形成された固定筐体と、上面に表示部が形成された可動筐体と、略アーム状の連結部材からなり、上記開閉装置の固定ケースと可動ケースを、上記連結部材の下端と上記固定筐体に固着すると共に、上記連結部材の上端を上記可動筐体に回転可能に装着した電子機器。
【請求項３】
連結部材の上端と可動筐体の間に、上記可動筐体を下方へ付勢する付勢部材を設けた請求項２記載の電子機器。
【発明の詳細な説明】
【技術分野】
【０００１】
本発明は、主に携帯電話や電子辞書、パーソナルコンピュータ等の各種電子機器に使用される開閉装置、及びこれを用いた電子機器に関するものである。
【背景技術】
【０００２】
近年、携帯電話や電子辞書、パーソナルコンピュータ等の電子機器の多様化や高機能化が進むなか、固定筐体に対し可動筐体を開閉させて、様々な操作を行うものが増えており、これらに用いられる開閉装置においても、多様な操作を行えるものが求められている。
【０００３】
このような従来の開閉装置を用いた電子機器について、図８を用いて説明する。
【０００４】
図８は従来の電子機器の斜視図であり、図８（ｂ）において、１は略箱型で合成樹脂製の固定筐体、２は同じく合成樹脂製の可動筐体で、固定筐体１の上面には液晶表示素子等の表示部１Ａが、可動筐体２の下面には同じく表示部２Ａが形成されている。
【０００５】
また、３は複数のカムやばね（図示せず）等から形成された開閉装置で、固定筐体１後端と可動筐体２下端の間に装着され、この開閉装置３によって可動筐体２が固定筐体１に対して、所定の操作角度以下では閉方向へ、所定の操作角度以上では開方向へ付勢され、開閉可能に軸支されて電子機器が構成されている。
【０００６】
以上の構成において、図８（ａ）に示すように、固定筐体１に対して可動筐体２が閉じた状態では、開閉装置３によって可動筐体２が閉方向へ付勢され、可動筐体２が閉じた状態で保持されている。
【０００７】
そして、この閉状態から、指で固定筐体１側面の押釦（図示せず）等を押圧操作すると、開閉装置３のカムやばね等が動作して可動筐体２に開く方向の力が加わり、図８（ｂ）に示すように、中間の操作角度、例えば１００度前後に可動筐体２が開くと共に、この状態で保持され、例えば表示部１Ａに表示されたキーボード等のキーを操作して、表示部２Ａに表示された様々なメニューの選択や文字入力等を行い易い状態となる。
【０００８】
さらに、この後、可動筐体２を手で開操作すると、図８（ｃ）に示すように、可動筐体２が固定筐体１に対して最大の操作角度、例えば１８０度近くまで開いて保持され、例えば受信したテレビ等の画像を、表示部１Ａと２Ａを合わせた大きな画面で見ることが可能な状態となる。
【０００９】
なお、この開状態から可動筐体２を手で閉操作すると、図８（ａ）に示したように、可動筐体２が閉じて保持された状態に戻って、携帯して持ち運び易い状態となる。
【００１０】
つまり、手による開閉操作に加え、可動筐体２を開く際には、側面の押釦等を押圧操作し、開閉装置３によって可動筐体２をワンタッチで開く、所謂ワンタッチオープン操作が行えると共に、入力操作の行い易い中間の操作角度と、画面が大きく見易い最大の操作角度まで開いた状態の、二つの操作角度に可動筐体２を保持することが可能なように構成されているものであった。
【００１１】
なお、この出願の発明に関連する先行技術文献情報としては、例えば、特許文献１が知られている。
【先行技術文献】
【特許文献】
【００１２】
【特許文献１】特開２０１０−２４９２８５号公報
【発明の概要】
【発明が解決しようとする課題】
【００１３】
しかしながら、上記従来の開閉装置及びこれを用いた電子機器においては、表示部１Ａは固定筐体１の上面に、表示部２Ａは可動筐体２の下面に形成され、可動筐体２が閉じた状態では表示部１Ａも２Ａも隠れているため、この状態では画面を見ることも入力操作を行うこともできず、可動筐体２を都度開いてこれらを行う必要があり、操作が煩雑なものになってしまうという課題があった。
【００１４】
本発明は、このような従来の課題を解決するものであり、可動筐体が閉じたままでも操作等が行え、多様な操作が可能な開閉装置及びこれを用いた電子機器を提供することを目的とする。
【課題を解決するための手段】
【００１５】
上記目的を達成するために本発明は、可動カムが弾接する略Ｖ字状の固定カムの中間に、可動カムを係止する窪部を設けて開閉装置を形成すると共に、この開閉装置と略アーム状の連結部材を介して、可動筐体を固定筐体に装着して電子機器を構成したものであり、可動筐体が閉じた状態でも、この上面に表示部が設けられているため、表示されたメニューの選択等が行えると共に、入力操作等の行い易い中間角度と、画面が大きく見易い最大の操作角度まで開いた状態の、二つの操作角度に可動筐体を保持できるため、多様な操作が可能な開閉装置及びこれを用いた電子機器を得ることができるという作用を有するものである。
【発明の効果】
【００１６】
以上のように本発明によれば、多様な操作が可能な開閉装置及びこれを用いた電子機器を実現することができるという有利な効果が得られる。
【図面の簡単な説明】
【００１７】
【図１】本発明の一実施の形態による開閉装置の断面図
【図２】同分解斜視図
【図３】同電子機器の分解斜視図
【図４】同斜視図
【図５】同斜視図
【図６】同カム動作図
【図７】同カム動作図
【図８】従来の電子機器の斜視図
【発明を実施するための形態】
【００１８】
以下、本発明の実施の形態について、図１〜図７を用いて説明する。
【００１９】
（実施の形態）
図１は本発明の一実施の形態による開閉装置の断面図、図２は同分解斜視図であり、同図において、１１は略円筒状で鋼や銅合金、焼結合金等の固定体で、外周には右方へ突出した略Ｖ字状の一対の固定カム１２が設けられると共に、この固定カム１２中間には窪部１２Ａが形成されている。
【００２０】
そして、１３は略円柱状で金属製の固定軸、１４は略円筒状で金属製の固定ケースで、この固定ケース１４内に固定体１１が収納されると共に、固定軸１３の左端に固定体１１と固定ケース１４が各々固着されている。
【００２１】
また、１５は略円筒状で金属製の可動体で、固定体１１に対し開閉方向へ回転可能に、かつ軸線方向へ移動可能に配置されると共に、外周には左方へ突出し固定カム１２に対向する一対の可動カム１６が設けられている。
【００２２】
さらに、１７は略円筒状で金属製の可動ケースで、外周の溝部に可動体１５外周の凸部が挿入され、可動体１５が可動ケース１７に対し軸線方向へは移動可能で、回転方向へは一体となって回転するようにして、可動ケース１７内に収納されている。
【００２３】
また、可動ケース１７の左端開口部には固定ケース１４が回転可能に装着されると共に、固定軸１３が可動体１５や可動ケース１７内を挿通し、右端が止め輪１８によって可動ケース１７外側面に回転可能に装着されている。
【００２４】
そして、１９はコイル状に巻回された鋼線製のばねで、可動体１５右側面と可動ケース１７内側面の間にやや撓んだ状態で装着され、このばね１９によって、可動体１５が左方の固定体１１の方向へ付勢されている。
【００２５】
さらに、２０は略円筒状で金属製の反転体で、右端には右方へ突出し可動カム１６に対向する、略Ｖ字状の一対の反転カム２１が形成されると共に、この反転体２０が軸線方向へ移動可能なようにして、固定ケース１４に装着されている。
【００２６】
そして、２２は略リング状の解除体で、左右端には凹凸状の解除カム２３が形成されると共に、この解除体２２が回転可能なようにして、固定ケース１４に装着されている。
【００２７】
また、２４は右端に右方へ突出する押圧カム２５が形成された押圧体、２６は巻ばねで、巻ばね２６がやや捩られた状態で一端が解除体２２に、他端が押圧体２４に係止されると共に、押圧体２４が固定軸１３左端に軸線方向へ移動可能に装着されている。
【００２８】
さらに、固定ケース１４の左端開口部をカバー２７が覆うと共に、カバー２７から左方へ突出した押圧体２４左端には押釦２８が取り付けられ、この押釦２８と押圧体２４がばね２９をやや撓めた状態で装着されて、開閉装置３０が構成されている。
【００２９】
また、図３はこのような開閉装置３０を用いた電子機器の分解斜視図であり、同図において、３１は略箱型で合成樹脂製の固定筐体で、この固定筐体３１内には複数の電子部品が実装された配線基板（図示せず）が収納されて、電子回路（図示せず）が形成されると共に、上面には液晶表示素子等の上に、光透過性のタッチパネル等を載置した表示部３１Ａが設けられている。
【００３０】
そして、３２は同じく合成樹脂製の可動筐体で、可動筐体３２内には固定筐体３１と同様に電子回路が形成されると共に、上面には表示部３１Ａと同様に表示部３２Ａが設けられている。
【００３１】
さらに、３３は略アーム状で合成樹脂または金属製の連結部材で、この連結部材３３の下端に開閉装置３０の可動ケース１７が、固定筐体３１左側面に固定ケース１４が各々固着され、開閉装置３０を介して連結部材３３下端が固定筐体３１に装着されている。
【００３２】
また、３４は付勢部材で、固定部３４Ａとこれに対して回転可能な可動部３４Ｂの間に、複数のカムやばね（図示せず）等が設けられ、可動部３４Ｂが回転した場合には、これに常に元の位置への復帰力がはたらくように形成されている。
【００３３】
そして、この付勢部材３４の固定部３４Ａが連結部材３３の上端に、可動部３４Ｂが可動筐体３２に各々固着され、付勢部材３４によって可動筐体３２が常に下方へ付勢されると共に、付勢部材３４を介して連結部材３３上端が可動筐体３２に回転可能に装着されている。
【００３４】
さらに、固定筐体３１と可動筐体３２の右側面には、支持体３５上下端の貫通孔が、複数のピン３６Ａと３６Ｂによって、固定筐体３１と可動筐体３２に回転可能に装着されて、電子機器が構成されている。
【００３５】
以上の構成において、図４（ａ）の斜視図に示すように、固定筐体３１に対して可動筐体３２が閉じた状態では、開閉装置３０は、図６（ａ）のカム動作図に示すように、可動体１５の方向へ突出した反転カム２１の、下側の傾斜面に可動カム１６が弾接し、可動体１５がばね１９によって下方向の閉方向へ付勢されているため、可動ケース１７が装着された連結部材３３下端には閉方向への付勢力がはたらき、可動筐体３２が閉じた状態で保持されている。
【００３６】
そして、この可動筐体３２が閉じた状態では、可動筐体３２上面の表示部３２Ａに、例えば複数のアイコン等のメニューが表示されていた場合、タッチパネル等を通して背面の液晶表示素子等を見ながら、所望のアイコン上のタッチパネルを押圧あるいは接触操作することによって、所望のアイコン等の選択が行えるようになっている。
【００３７】
また、この閉状態から、指で固定筐体３１側面の押釦２８を押圧操作すると、押釦２８が装着された押圧体２４の押圧カム２５が左端の解除カム２３を押圧して、図６（ｂ）に示すように、解除体２２が巻ばね２６を撓めながら下方向へ回転し、右端の解除カム２３が反転体２０左端から外れるため、反転カム２１が左方向へ移動する。
【００３８】
このため、ばね１９に付勢された可動カム１６が、固定カム１２下側の傾斜面を弾接摺動して上方向へ回転し、可動体１５が上方向の開方向へ付勢されるため、この力によって可動ケース１７と、これが装着された連結部材３３下端には開く方向の力が加わり、図４（ｂ）に示すように、可動筐体３２が開操作される。
【００３９】
そして、図６（ｃ）に示すように、可動カム１６が略Ｖ字状の固定カム１２中間の窪部１２Ａに弾接した状態では、図４（ｃ）に示すように、可動筐体３２が固定筐体３１に対して中間の操作角度で、例えば１００度前後開いた状態で保持され、例えば表示部３１Ａに表示されたキーボード等のキーを操作して、表示部３２Ａに文字入力等を行い易い状態となる。
【００４０】
なお、この時、連結部材３３の上端に装着された付勢部材３４の復帰力によって、可動筐体３２には操作角度にかかわりなく、常に下方へ付勢される力が加わっているため、可動筐体３２下端が固定筐体３１上面から離れて浮き上がることはなく、常に下端が固定筐体３１上面に弾接した状態で、ぐらつきがなく安定した状態で、可動筐体３２の開操作や保持が行えるようになっている。
【００４１】
また、押圧操作した後、押釦２８から指を離すと、図７（ａ）のカム動作図に示すように、押圧カム２５への押圧力がなくなるため、巻ばね２６に付勢された解除カム２３が上方向へ戻り、左端を押圧された反転カム２１が右方向へ移動して、これらのカムが元の位置に復帰する。
【００４２】
さらに、この後、図５（ａ）の斜視図に示すように、可動筐体３２を手で開操作すると、可動カム１６が窪部１２Ａから外れて、固定カム１２上側の傾斜面を上方向へ弾接摺動し、図７（ｂ）に示すように、可動カム１６が反転カム２１の上側の傾斜面に弾接して、図５（ｂ）に示すように、可動筐体３２が固定筐体３１に対して最大の操作角度、例えば１８０度近くまで開いて保持され、例えば受信したテレビ等の画像を、表示部３１Ａと３２Ａを合わせた大きな画面で見ることが可能な状態となる。
【００４３】
なお、この開状態から可動筐体３２を手で閉じると、上記とは逆に、可動カム１６が固定カム１２上側の傾斜面を下方向へ弾接摺動して窪部１２Ａに弾接し、一旦この状態で保持された後、さらに可動筐体３２を閉じると、可動カム１６が固定カム１２下側の傾斜面を下方向へ弾接摺動して、図４（ａ）や図６（ａ）に示した状態に戻り、可動筐体３２が携帯し易い閉じた状態となる。
【００４４】
つまり、手による開閉操作に加え、可動筐体３２を開く際には、押釦２８が装着された押圧体２４の押圧操作によって、可動体１５を上方向、すなわち開方向に回転させて、可動筐体３２をワンタッチで開く、所謂ワンタッチオープン操作が行えると共に、可動筐体３２が閉じた状態でも、中間の操作角度まで開いた状態でも、最大の操作角度まで開いた状態でも、いずれの操作角度においても可動筐体３２が保持され、各々の状態で様々な操作等が行えるようになっている。
【００４５】
すなわち、可動カム１６が弾接する略Ｖ字状の固定カム１２の中間に、可動カム１６を係止する窪部１２Ａを設けて開閉装置３０を形成すると共に、この開閉装置３０を連結部材３３下端と固定筐体３１の間に装着することによって、可動筐体３２が閉じた状態でも、この上面に表示部３２Ａが設けられているため、閉状態でも表示されたメニューの選択等が行えると共に、中間の操作角度では、表示部３１Ａを操作して表示部３２Ａに文字入力等が行え、さらに、最大の操作角度では、表示部３１Ａと３２Ａを合わせた大きな画面で画像を見ることが可能なように構成されている。
【００４６】
さらに、回転可能な連結部材３３上端と可動筐体３２の間には、可動筐体３２を下方へ付勢する付勢部材３４が設けられ、可動筐体３２には操作角度にかかわりなく、付勢部材３４の復帰力によって常に下方へ付勢される力が加わっているため、可動筐体３２下端が常に固定筐体３１上面に弾接した状態で、安定した可動筐体３２の開操作や保持が行えるようになっている。
【００４７】
なお、以上の説明では、固定カム１２や可動カム１６に加え、これらに反転カム２１や解除カム２３、押圧カム２５等の様々なカムを組み合せ、押釦２８の押圧操作によって可動筐体３２をワンタッチで開く、所謂ワンタッチオープン操作を行う構成について説明したが、これらに代えて、略Ｖ字状の固定カム１２の両端に凹部を設けると共に、可動筐体３２が閉じた状態と最大の操作角度に開いた状態では、可動カム１６をこの固定カム１２両端の凹部に弾接させて、可動筐体３２の全ての操作を手で行う構成としても、本発明の実施は可能である。
【００４８】
また、以上の説明では、固定部３４Ａと可動部３４Ｂの間に複数のカムやばね等が設けられた付勢部材３４を用い、この付勢部材３４を連結部材３３上端と可動筐体３２の間に装着して、可動筐体３２を下方へ付勢する構成について説明したが、巻ばね等のばねを用い、この両端を連結部材３３上端と可動筐体３２に係止して、可動筐体３２を下方へ付勢する構成としてもよい。
【００４９】
このように本実施の形態によれば、可動カム１６が弾接する略Ｖ字状の固定カム１２の中間に、可動カム１６を係止する窪部１２Ａを設けて開閉装置３０を形成すると共に、この開閉装置３０と略アーム状の連結部材３３を介して、可動筐体３２を固定筐体３１に装着して電子機器を構成することによって、可動筐体３２が閉じた状態でも、この上面に表示部３２Ａが設けられているため、表示されたメニューの選択等が行えると共に、入力操作等の行い易い中間角度と、画面が大きく見易い最大の操作角度まで開いた状態の、二つの操作角度に可動筐体３２を保持できるため、多様な操作が可能な開閉装置及びこれを用いた電子機器を得ることができるものである。
【００５０】
また、連結部材３３の下端と固定筐体３１の間に、開閉装置３０を装着すると共に、連結部材３３の上端と可動筐体３２の間に、可動筐体３２を下方へ付勢する付勢部材を設けることで、可動筐体３２下端を常に固定筐体３１上面に弾接させて、安定した可動筐体３２の開操作や保持を行うことができる。
【産業上の利用可能性】
【００５１】
本発明による開閉装置及びこれを用いた電子機器は、可動筐体が閉じたままでも操作等が行え、多様な操作が可能なものを得ることができるという有利な効果を有し、主に各種電子機器に使用される開閉装置として有用である。
【符号の説明】
【００５２】
１１  固定体
１２  固定カム
１２Ａ  窪部
１３  固定軸
１４  固定ケース
１５  可動体
１６  可動カム
１７  可動ケース
１８  止め輪
１９  ばね
２０  反転体
２１  反転カム
２２  解除体
２３  解除カム
２４  押圧体
２５  押圧カム
２６  巻ばね
２７  カバー
２８  押釦
２９  ばね
３０  開閉装置
３１  固定筐体
３１Ａ、３２Ａ  表示部
３２  可動筐体
３３  連結部材
３４  付勢部材
３４Ａ  固定部
３４Ｂ  可動部
３５  支持体
３６Ａ、３６Ｂ  ピン
【図１】
2012251604.tif 000003
【図２】
2012251604.tif 000004
【図３】
2012251604.tif 000005
【図４】
2012251604.tif 000006
【図５】
2012251604.tif 000007
【図６】
2012251604.tif 000008
【図７】
2012251604.tif 000009
【図８】
2012251604.tif 000010